(57)【特許請求の範囲】
【請求項１】
建材同士を仮止め連結する際に、両建材にそれぞれ開口した仮止め連結用の貫通孔に挿入される着脱可能なガイドピンであって、
仮止め連結の際に一方の建材の開放された内部空間に突出する断面多角形の一端部と、他方の建材に固定可能なネジ部が形成された他端部と、前記断面多角形の一端部と前記ネジ部が形成された他端部との間に連続した前記貫通孔と略同径の円筒状の胴部とを備えることを特徴とするガイドピン。
【請求項２】
前記断面多角形の一端部は、レンチで回転可能とされていることを特徴とする請求項１に記載のガイドピン。
【請求項３】
前記一端部の少なくとも一部が多角柱に形成されていることを特徴とする請求項１又は２に記載のガイドピン。
【請求項４】
前記一端部が先細りの多角錐に形成されていることを特徴とする請求項１又は２に記載のガイドピン。
【請求項５】
前記建材が建物ユニットであることを特徴とする請求項１〜４のいずれか１項に記載のガイドピン。
【請求項６】
前記ガイドピンの他端部は、前記建材の構造材に設けられた締結部に締結固定されるように形成されていることを特徴とする請求項１〜５のいずれか１項に記載のガイドピン。
【請求項７】
一方の建材の構造材は、断面I、H、L、C型のいずれかであることにより外部と連通した開放された内部空間を有し、
請求項１〜６のいずれか１項に記載のガイドピンの他端部が他方の建材の構造材に前記締結固定され、前記建材同士を仮止め連結した状態で、前記ガイドピンの一端部は、前記一方の建材の構造材の内側空間に突出し、
前記突出した一端部の角部を保持して前記ガイドピンの取り外しが可能であることを特徴とする建材の仮止め連結構造。
【発明の詳細な説明】
【技術分野】
【０００１】
本発明は、ガイドピン及びこれを用いた建材の仮止め連結構造に関する。
【背景技術】
【０００２】
従来、建材同士の仮止め連結に用いられるガイドピンが知られている（特許文献１〜３）。
【０００３】
これらのガイドピンは、平面視で重複するように位置合わした両建材のガイドホールにガイドピンの一端部と他端部がそれぞれ挿入されることで、両建材の仮止め連結に供される。
【０００４】
特許文献１のガイドピンは、仮止め連結した際に、開放された中空の柱の内側にガイドピンの一端部が突出し、仮止め連結した後に柱の中空へレンチ等を差し入れて、この突出した一端部にレンチ等（特許文献４参照）を嵌合させて操作することでガイドピンを除去可能なものである。
【０００５】
上方向に突出したガイドピンの一端部は、ガイドピンのガイドホールへの挿入を考慮して先細りのテーパ状鏡面となっている。
【０００６】
具体的に説明すると、上下方向における建材同士の仮止め連結では、例えば上方から吊り下げた建材を下降させて、その下方で固定された建材に嵌め込んで仮止め連結するため、平面視で適正位置からずれた状態で建材を下降させた場合に、上方の建材に形成されガイドホールの周囲の平坦部やガイドホールの周縁部が仮止め連結用に突出したガイドピンの先端（一端部）に意図せず当接してしまい、該先端に荷重がかかる。
【０００７】
そのため、テーパ状の鏡面にすることで微細な位置ズレを吸収して仮止め連結がスムーズになされるようになっている。仮にこの部分が鏡面でなければ、建材の自重でその形状が潰されかねない。
【０００８】
そのため、このテーパ状の部分にはレンチ用の嵌合部（角部等）を形成できず、特許文献１のものでは、突出したガイドピンの一端部の基部周辺に形成されている。
【先行技術文献】
【特許文献】
【０００９】
【特許文献１】特開昭６０−１５９２３７
【特許文献２】実開平１−１７１８０１
【特許文献３】特開２００５−２３９６８
【特許文献４】特開平８−３９４４３
【発明の概要】
【発明が解決しようとする課題】
【００１０】
一方、例えば特許文献１〜３のガイドピンを用いて、左右方向で建材同士を仮止め連結した場合、鏡面テーパ状の先端部であるためガイドピンを除去しにくいという問題があった。
【００１１】
具体的には、ガイドピンはもともと仮止め連結用であるため、強固に締結されていないが、作業者が素手で取り除くにはある程度の力を要し取り外しにくいという問題があった。
【課題を解決するための手段】
【００１２】
本発明は上記課題に着目してなされたものであり、左右方向で建材同士を仮止め連結した場合、取り外しやすいガイドピンとこれを用いた仮止め連結構造の提供を目的とする。
【００１３】
本発明に係るガイドピンは、建材同士を仮止め連結する際に、両建材にそれぞれ開口した仮止め連結用の貫通孔に挿入されるガイドピンであって、仮止め連結の際に一方の建材の開放された内部空間に突出する断面多角形の一端部と、他方の建材に固定可能に形成された他端部と、を備えることを特徴とする。
【００１４】
また、前記一端部の少なくとも一部が多角柱に形成されていてもよく、先細りの多角錐に形成されていてもよい。さらに、前記建材が建物ユニットであってもよい。
【００１５】
前記ガイドピンの他端部は、前記建材の構造材に設けられた締結部に締結固定されるように形成されていてもよい。
【００１６】
本発明に係る建材の仮止め連結構造は、前記一方の建材の構造材は、断面I、H、L、C型のいずれかであることにより外部と連通した開放された内部空間を有し、前記ガイドピンの一端部は、他方の建材の構造材に前記締結固定され、前記建材同士を仮止め連結した状態で、前記一方の建材の構造材の内側空間に突出し、前記突出した一端部の角部を保持して前記ガイドピンの取り外しが可能であることを特徴とする。
【図面の簡単な説明】
【００１７】
【図１】本発明に係る実施例のガイドピンを取り付けた状態で仮止め連結しようとしている建物ユニットを示す斜視図である。
【図２】図１の建物ユニット同士の仮止め連結部分（仮止め連結前）を拡大した斜視図である。
【図３】図１の建物ユニット同士の仮止め連結部分（仮止め連結後）の平断面図である。
【図４】図２の仮止め連結部分（仮止め連結後）の縦断面図である。
【図５】本発明に係る実施例１のガイドピンを示す斜視図である。
【図６】（ａ）本発明に係る実施例１のガイドピンの側面図である。（ａ）本発明に係る実施例１のガイドピンの正面図である。
【図７】図３の仮止め連結後の状態から、ガイドピンを取り除く際の作用説明図（平断面）である。
【図８】図７の縦断面を示す作用説明図である。
【図９】（ａ）〜（ｄ）は、レンチでガイドピンを保持した状態を示し、ガイドピンの作用を説明する図である。
【図１０】本発明に係る実施例２のガイドピンを示す図である。
【図１１】（ａ）本発明に係る実施例２のガイドピンの側面図である。（ａ）本発明に係る実施例２のガイドピンの正面図である。
【実施例１】
【００１８】
本発明の実施例を図１〜１１を参照しながら説明する。
＜建物ユニット＞
図１は、実施例１のガイドピン１を用いて、左右に隣接配置した建物ユニット２，３同士を仮止め連結しようとしている状態を示した図である。
【００１９】
一方の建物ユニット２は、建材の構造材としての梁２A，２Bや柱２C等を有している。他方の建物ユニット３も、建材の構造材としての梁３A，３Bや柱３C等を有している。
【００２０】
この梁２A，２B，３A，３Bや柱２C，３Cは、断面C型やL型であるが（図２参照）、I、H型でもよい。これらの梁２A，２B，３A，３Bや柱２C，３Cが断面C、I、H、L型であるため、梁２A，２B，３A，３Bや柱２C，３Cの内部空間Sは外部に連通した状態で開放されており、作業者が手や工具を差し入れて内部空間SでボルトB等の取り付けや取り外し作業ができるようになっている。
＜仮止め連結構造＞
本発明に係るガイドピン１の取り付け構造１０は、図２〜４に示すように、仮止め連結及び本連結用の貫通孔H１〜H３とH４〜H６がそれぞれ対応するように形成された壁部を有する各一対の梁２A，２B，３A，３B又は柱２C，３Cと、一方の仮止め連結用の貫通孔H３の裏側に設けられたガイドピン１用の締結部としてのナットN２と、該ナットN２に締結固定される他端部１cおよび各仮止め連結用の貫通孔H６を通じて他方の梁３A，３Bや柱３Cの壁部の裏側に突出する一端部１ａを有するガイドピン１と、を有している（一部図示省略）。
【００２１】
各建物ユニット２，３の柱２C，３Cや梁２A，２B，３A，３Bの所定の位置には、図２〜４に示すように、仮止め連結用の貫通孔H３，H６と本連結用の貫通孔H１，H２，H４，H５がそれぞれ形成されている。ここで、仮止め連結用の貫通孔は、図２に示していない必要な箇所にもそれぞれ形成されている。
【００２２】
柱３Cの仮止め連結用の貫通孔H３は、その所定位置で対向する梁２Aの貫通孔H６と対をなすように形成されている。他の貫通孔H１，H2も同様であり、それぞれ貫通孔H３、H４と対をなすように形成されている。貫通孔の各対（H１：H４、H２：H５，H３：H６）は、仮止め連結した状態で、重なり合って一つの孔を構成するようになっている。
【００２３】
建物ユニット３の仮止め連結用の貫通孔H３には、図２や図４に示すように、本発明に係るガイドピン１が挿入されて締結固定されている。
【００２４】
このガイドピン１の締結固定について詳述すると、まず、図４に示すように、上記仮止め連結用の貫通孔H３を設けた柱３Cの壁部箇所の裏面に、この貫通孔H３に合わせてナットN２がカシメ固定されている（図４の黒塗り部分参照）。
【００２５】
そして、カシメ固定されたナットN２（締結部）の内周面の雌螺子に対して、後述するガイドピン１の他端部１cの雄ネジ部が貫通孔H３を介して挿入および螺合されて締結固定されることで、上記締結固定がなされる（図２、図４参照）。
【００２６】
締結固定されたガイドピン１の一端部１ａは、建物ユニット２，３同士を左右方向で合体させて仮止め連結すると、他方の建物ユニット２の梁２Aの貫通孔H６を通過してその壁部裏面から突出する。仮止め連結の後に、一般的なボルトBとナットN１による本連結がなされる（図３、図４参照）。一方、ナットN1は、図３に示すように、予め柱３Cの裏面にカシメ等で取り付けられている。
【００２７】
ここで、建物ユニット３に対するガイドピン１の固定方法は、上記のようなネジによる締結固定に限られない。すなわち、ガイドピン１を他方の建物ユニット３に対して固定でき、仮止め連結および本連結の後、一方の建物ユニット２の貫通孔H６から内部空間Sに突出したガイドピン１の一端部１ａをレンチRにより回転操作して、その固定の解除及び該ガイドピン１の取り外しができる固定方法であればよい。
【００２８】
また、仮止め連結構造１０の梁又は柱には、建物ユニットの梁や柱だけでなく一般的な建材の構造材としての柱や梁が全て含まれる。
＜ガイドピン＞
本発明に係る実施例１のガイドピン１を図５、６に示す。
【００２９】
ガイドピン１は、断面多角形の一端部１ａと、他方の建物ユニット３に締結固定可能に形成された他端部１c等とを有している。
【００３０】
図５、６に示すガイドピン１の一端部１ａは、断面正六角形で先細りのテーパ状に形成されている。これにより、ガイドピン１の一端部１ａの先端と基部（ガイドピン１の胴部１bと一端部１ａとの境目のテーパ状ではなくなる部分）との間に無数に存在する正六角形の断面の一つと一致する正六角形のレンチ穴を有するレンチ全てが使用可能となる。
【００３１】
一方、ガイドピン１の他端部１cの外周面には、上述したように、他方の建物ユニット３の柱３Cや梁３A，３Bの裏側に予めカシメ固定されたナットN2の雌ネジに対して羅合する雄ネジがきられている。
＜作用・効果＞
以下、本発明に係る実施例１のガイドピン１とそれを用いた仮止め連結構造１０の作用、効果について、図７、８を参照しながら説明する。
（１）梁２A，２B，３A，３Bや柱２C，３Cが断面C、I、H、L型であり、その内部空間Sが外部と連通して開放されているので、ここに作業員が手を差し入れることができる。この内部空間Sには、ガイドピン１の一端部１ａが突出しているので、レンチRの先端を差し入れて締結固定の解除操作を行うことで、素手ではある程度の力を要するガイドピン１の締結固定の解除であっても、簡単に行うことができる（図７、図８参照）。
（２）ガイドピン１の突出する一端部１ａが断面六角形の先細りテーパ状に形成されているので、同一の六角形の開口を有するレンチであれば開口サイズに拘わらず係合するので（図９（ａ）〜（d）参照）、その意味ではレンチを選ばない。
[実施例２]
図１０および図１１に、実施例２のガイドピン１Aを示す。
【００３２】
このガイドピン１Ａは、その一端部として、六角柱の先端部１ｅと、それに連続形成され後方へ拡開した円錐部１dとを有している。それ以外の構成は、実施例１のガイドピンと同一であるため説明を省略する。また、仮止め連結構造１０についても同様であるので説明を省略する。
【００３３】
ガイドピン１Ａの締結固定の解除に実施例１の場合よりも大きな力が必要となる場合がある。
【００３４】
例えば、構造上の原因から仮止め箇所H３，H６に歪みが集中する等の何らかの理由により、建物ユニット２，３同士の上下方向の微細な位置ずれを起こした場合、仮止め用のガイドピン１Ａが位置ズレした貫通孔H３：H６に挟まれて回転しにくくなる。
【００３５】
この場合、作業員がガイドピンを回転させるために非常に力を要し、実施例１のものでは締結固定の解除がしにくくなる場合である。その場合、その箇所に設けるガイドピンを六角柱の先端部１ｅを有する実施例２のガイドピンとすることで、レンチにより確実に締結固定を解除することができる。
【００３６】
なお、両目的で使用できるように、上記実施例２のガイドピンの円錐部１dを実施例１のような断面多角形に形成してもよい。
【００３７】
以上、本発明に係る実施例１及び実施例２のガイドピンとこれを用いた仮止め連結構造を説明してきたが、具体的な構成については、これらに限られるものではなく、特許請求の範囲の各請求項に係る発明の要旨を逸脱しない限り、設計の変更や追加等は許容される。
【符号の説明】
【００３８】
１，１Ａ・・・ガイドピン
１b・・・胴部
１c・・・他端部
１d・・・円錐部
１ａ・・・一端部
１ｅ・・・先端部
２，３・・・建物ユニット
２A，２B，３A，３B・・・梁
１０・・・仮止め連結構造
B・・・ボルト
H１〜H６・・・貫通孔
N１，N２・・・ナット
R      レンチ
S      内部空間
【図１】
0005960501.tif 000002
【図２】
0005960501.tif 000003
【図３】
0005960501.tif 000004
【図４】
0005960501.tif 000005
【図５】
0005960501.tif 000006
【図６】
0005960501.tif 000007
【図７】
0005960501.tif 000008
【図８】
0005960501.tif 000009
【図９】
0005960501.tif 000010
【図１０】
0005960501.tif 000011
【図１１】
0005960501.tif 000012